(57)【要約】  【課題】３枚連動引戸において、ガラス扉であってもリンクが見えないようにする。  【解決手段】開口部１Ｘに設けられる複数の引戸２を、全ての引戸２が略重合する開成位置（Ａ）と、相隣接する引戸２の側端部同士が重合し前記開口部１Ｘを閉止する閉止位置（Ｂ）との間で連動動作させるための機構であって、閉止位置（Ｂ）において、略水平をなすリンク本体３１と、前記リンク本体３１の一端側に略起立するリンク支片３２とを備えたリンク部材３０を具備し、前記リンク本体３１の他端部を所定の引戸２に回動可能に支持させるとともに、前記リンク支片３２を他の引戸２の背面の側縁部に沿ってスライド可能に係合させることにより、前記リンク部材３０によって複数の引戸２が連動動作し得るように構成した。  【選択図】図２
2005126959.tif 000002
【特許請求の範囲】
【請求項１】
開口部に設けられる複数の引戸を、全ての引戸が略重合する開成位置と、相隣接する引戸の側端部同士が重合し前記開口部を閉止する閉止位置との間で連動動作させるための機構であって、
閉止位置において、略水平をなすリンク本体と、前記リンク本体の一端側に略起立するリンク支片とを備えたリンク部材を具備し、
前記リンク本体の他端部を所定の引戸に回動可能に支持させるとともに、前記リンク支片を他の引戸の背面の側縁部に沿ってスライド可能に係合させることにより、前記リンク部材によって複数の引戸が連動動作し得るように構成していることを特徴とする引戸のリンク機構。
【請求項２】
前記リンク本体が、閉止位置において略平行をなす複数のリンク要素を具備するものであって、
隣接するリンク要素が段をなすための段部形成要素を、それら隣接するリンク要素間に備えていることを特徴とする請求項１記載の引戸のリンク機構。
【請求項３】
前記リンク本体が、前記リンク要素と前記段部形成要素とによって階段形状に構成されていることを特徴とする請求項２記載の引戸のリンク機構。
【請求項４】
前記引戸が、透光性を有する透光性部材とこの透光性部材を支持する枠体状の引戸本体部とを具備するものであって、
閉止位置において、リンク要素の水平方向の寸法を、そのリンク要素と対応して位置付けられる引戸本体部の幅寸法と略同一に構成していることを特徴とする請求項２または３記載の引戸のリンク機構。
【請求項５】
前記引戸と前記リンク本体とをスライド可能に係合する中間係合部と中間被係合部とを備え、
前記段部形成要素に、前記中間係合部および中間被係合部のうちいずれか一方を設け、他方を引戸に設けていることを特徴とする請求項２乃至４いずれか記載の引戸のリンク機構。
【請求項６】
前記引戸と前記リンク支片とをスライド可能に係合する端係合部と端被係合部とを備え、
前記リンク支片に、前記端係合部および端被係合部のうち、いずれか一方を設け、他方を引戸に設けていることを特徴とする請求項１乃至５いずれか記載の引戸のリンク機構。
【請求項７】
前記リンク部材の動作を禁止するロック手段を備えていることを特徴とする請求項１乃至６いずれか記載の引戸のリンク機構。
【請求項８】
前記ロック手段を、閉止位置においてリンク支片が位置付けられる位置またはその近傍に設けていることを特徴とする請求項７記載の引戸のリンク機構。
【請求項９】
請求項１乃至８いずれか記載の引戸のリンク機構を備えたことを特徴とする引戸式収納家具。
【発明の詳細な説明】
【技術分野】
【０００１】
本発明は、複数の引戸を相互に連動させて開閉するための引戸のリンク機構に関するものである。
【背景技術】
【０００２】
従来、開口部に、複数の扉体を案内手段を介して引き違い可能で、且つ、奥行き方向前後にそれぞれ配設するとともに、前記閉止位置にある扉体のうち奥行き方向後側に位置する一方の扉体の左右両端のうち他の扉体側の一端側裏面にリンク部材の一端を枢着し、残る２枚の扉体の左右両端のうちの、前記扉体の枢着部と同一端側裏面に上下方向の案内溝を有するガイド部材をそれぞれ取り付けるとともに、これらガイド部材の案内溝にリンク部材の中間部と他端をそれぞれ上下移動可能に係合し、前記リンク部材の中間部と他端に貫通突出させた支軸にローラをそれぞれ取り付け、これらローラを前記ガイド部材の案内溝にそれぞれ係止するとともに、前記ローラのうちの少なくとも一方のローラの支軸を内方側に突出させ、前記扉体の閉止状態において前記突出させた支軸に係止して前記リンク部材の上方側への移動を阻止するための錠前の係止部材を係止解除可能に設けてなるものが知られている（例えば、特許文献１参照。）。
【特許文献１】特許第３４０２１４７号公報（第２〜３頁、第３図）
【発明の開示】
【発明が解決しようとする課題】
【０００３】
しかしながら、以上のような構成では、閉止状態では、リンク部材が扉体を横断するため、例えば、扉体をガラスで構成した場合には、ガラスを通してリンク部材が見えてしまうなど、外観上の問題点を有している。
【０００４】
そこで、本発明は、上述した課題を解決することを主たる目的とするものである。
【課題を解決するための手段】
【０００５】
すなわち、本発明に係る引戸のリンク機構は、開口部に設けられる複数の引戸を、全ての引戸が略重合する開成位置と、相隣接する引戸の側端部同士が重合し前記開口部を閉止する閉止位置との間で連動動作させるための機構であって、閉止位置において、略水平をなすリンク本体と、前記リンク本体の一端側に略起立するリンク支片とを備えたリンク部材を具備し、前記リンク本体の他端部を所定の引戸に回動可能に支持させるとともに、前記リンク支片を他の引戸の背面の側縁部に沿ってスライド可能に係合させることにより、前記リンク部材によって複数の引戸が連動動作し得るように構成していることを特徴とする。
【０００６】
このようなものであれば、閉止位置において、リンク部材が、引戸を斜めに横断することがないので、例えば、引戸の面板部分をガラスなどの透光性を有する素材で構成しても、そのリンク部材が、ガラスを介して見えてしまうといった外観上の問題が生じる恐れがない。また、リンク部材を引戸を斜めに横断するように設けた場合に比べ、引戸の背面側を有効に利用できる。すなわち、外観上の問題をクリアしながら、引戸等の設計自由度を向上させ得る高機能な引戸のリンク機構を提供することができる。
【０００７】
なお、リンク部材の先端部に加わる応力により、リンク本体が大きく変形することを好適に防止して、該リンク部材を安定動作させるためには、前記リンク本体が、閉止位置において略平行をなす複数のリンク要素を具備するものであって、隣接するリンク要素が段をなすための段部形成要素を、それら隣接するリンク要素間に備えていることが望ましい。特に、前記リンク本体が、前記リンク要素と前記段部形成要素とによって階段形状に構成されていれば、その効果は顕著になる。
【０００８】
本発明の望ましい態様としては、前記引戸が、透光性を有する透光性部材とこの透光性部材を支持する枠体状の引戸本体部とを具備するものであって、閉止位置において、リンク要素の水平方向の寸法を、そのリンク要素と対応して位置付けられる引戸本体部の幅寸法と略同一に構成しているものが挙げられる。
【０００９】
また、引戸の円滑な開閉動作を実現するためには、前記引戸と前記リンク本体とをスライド可能に係合する中間係合部と中間被係合部とを備え、前記段部形成要素に、前記中間係合部および中間被係合部のうちいずれか一方を設け、他方を引戸に設けていることが望ましい。また、前記引戸と前記リンク支片とをスライド可能に係合する端係合部と端被係合部とを備え、前記リンク支片に、前記端係合部および端被係合部のうち、いずれか一方を設け、他方を引戸に設けていることも望ましい。
【００１０】
ところで、引戸が不意に開閉することを防止するためには、前記リンク部材の動作を禁止するロック手段を備えていることが好ましい。このとき、前記ロック手段を、閉止位置においてリンク支片が位置付けられる位置またはその近傍に設ければ、引戸が不意に開閉することを効果的に防止することができる。
【００１１】
そして、上述の引戸のリンク機構を、引戸式収納家具に適用すれば、その引戸式収納家具を外観上優れたものとしながら、好適に使用することができる。
【発明の効果】
【００１２】
以上に詳述したように本発明に係る引戸のリンク機構は、閉止位置において、リンク部材が、引戸を斜めに横断することがないので、例えば、引戸の面板部分をガラスなどの透光性を有する素材で構成しても、そのリンク部材が、ガラスを介して見えてしまうといった外観上の問題が生じる恐れがない。また、リンク部材を引戸を斜めに横断するように設けた場合に比べ、引戸の背面側を有効に利用できる。すなわち、外観上の問題をクリアしながら、引戸等の設計自由度を向上させ得る高機能な引戸のリンク機構を実現することができる。
【発明を実施するための最良の形態】
【００１３】
以下、本発明の一実施形態について図面を参照して説明する。
【００１４】
本実施形態に係る引戸式収納家具Ｐは、図１に示すように、例えば、他の収納家具Ｑに載置して使用したり、或いは単独で床面（図示せず）に載置して使用するものであって、前面に開口部１Ｘを有する収納家具本体１と、前記開口部１Ｘに設けられる第１引戸２１、第２引戸２２、第３引戸２３（以下、引戸２と総称する。）と、前記引戸２を開成位置（Ａ）と閉止位置（Ｂ）との間で連動動作させるためのリンク機構３とを備えてなる。ここで、開成位置（Ａ）とは、全ての引戸２が略重合する位置を指し（図３参照）、閉止位置（Ｂ）とは、相隣接する引戸２の側端部同士が重合し前記開口部１Ｘを閉止する位置を指す（図２参照）。
【００１５】
なお、本実施形態では、収納家具本体１における引戸２を配置する側を前側とし、また、この引戸２を正面視した際に、第1引戸２１が位置付けられている側を左側、第３引戸２３が位置付けられている側を右側と定義して説明を進める。
【００１６】
以下、各部を説明する。
【００１７】
収納家具本体１は、図１に示すように、左右の両側壁１１、１２、上壁１３、底壁１４及び後壁１５から構成される筐体状をなすものであり、これら各壁１１、１２、１３、１４、１５によって包囲され前面側に開口部１Ｘを有する空間を収納空間としたものである。そして、上壁１３の下面側前端部及び底壁１４の上面側前端部の幅方向略全域に、引戸２のスライド移動を案内するレール状の案内部Ｌ１、Ｌ２をそれぞれ設けている。
【００１８】
引戸２は、図２、図３等に示すように、それぞれ正面視略矩形状をなすものである。そして、各引戸２は、透光性を有する透光性部材たるガラス部材２１１、２２１、２３１と、このガラス部材を支持する枠体状の引戸本体部２１２、２２２、２３２とを備えている。なお、本実施形態では、透光性部材にガラス部材を用いているが、これに限られるものでなく、例えば、透光性を有するアクリル樹脂性部材などで構成してもよい。
【００１９】
そして、前記開口部１Ｘを閉止すべく、後方から手前側に、第１引戸２１、第２引戸２２、第３引戸２３の順に平行に配置している。
【００２０】
このとき、閉止位置（Ｂ）において、図２に示すように、第１引戸２１の右側端部と第２引戸２２の左側端部とが重合し、第２引戸２２の右側端部と第３引戸２３の左側端部とが重合するように構成している。
【００２１】
また、開成位置（Ａ）において、図３に示すように、第１引戸２１、第２引戸２２及び第３引戸２３が、正面視略重合するように構成している。
【００２２】
そして、本実施形態では、第１引戸２１の左側端部の下端部と第３引戸２３の右側端部の下端部とに、手掛け可能な引手部２１ａ、２３ａをそれぞれ設けている。この引手部２１ａ、２３ａは、前面側に開口する箱体状をなすものである。
【００２３】
また、第３引戸２３に設けた引手部２３ａの下側には、リンク部材３０の動作を禁止するための後述するロック手段３５を設けている。
【００２４】
リンク機構３は、閉止位置（Ｂ）において、略水平をなすリンク本体３１とこのリンク本体３１の一端部３１ｘから略起立するリンク支片３２とを備えたリンク部材３０と、対をなす中間係合部３３ａ及び中間被係合部３３ｂと、対をなす端係合部３４ａ及び端被係合部３４ｂと、ロック手段３５とを具備してなる。
【００２５】
より具体的には、リンク本体３１は、その他端部３１ｙを、所定の引戸たる第１引戸２の引戸本体部２１２の背面右下隅部に回動可能に支持されるものである。また、閉止位置（Ｂ）において略平行をなす第１リンク要素３１１と、第２リンク要素３１２と、これら前記第１リンク要素３１１と前記第２リンク要素３１２とが段をなすように設けた段部形成要素３１３とを備えてなる。そして、第１リンク要素３１１、段部形成要素３１３及び第２リンク要素３１２によって、該リンク本体３１が右上がりの階段形状をなすようにしている。なお、本実施形態では、図２に示すように、前記第１リンク要素３１１の水平方向の寸法（ｒ２）と引戸本体部２２２の幅寸法（Ｒ２）とを略同一に構成し、また、前記第２リンク要素３１２の水平方向の寸法（ｒ３）と引戸本体部２３２の幅寸法（Ｒ３）とを略同一に構成している。
【００２６】
中間係合部３３ａは、図２、図３、図４に示すように、第２引戸２２の右側縁部の裏面にその側縁部に沿って設けたものである。端係合部３４ａは、第３引戸２３の右側縁部の裏面にその側縁部に沿って設けたものである。これら中間係合部３３ａと端係合部３４ａとは、共通のアルミ押し出し成形材をそれぞれ所定の長手寸法に切断することにより形成している。そして、長手方向に各部等断面の平面視略Ｕ字形状を有してなる。なお、本実施形態では、後述の中間被係合部３３ｂ及び端被係合部３４ｂが開口から抜け落ちることを防止するために、各開口を内方へ若干窄ませた形状を有するように構成している。
【００２７】
中間被係合部３３ｂは、図２、図３、図４に示すように、中間支軸３３ｂ１と、この中間支軸３３ｂ１の先端部に設けた中間転動輪３３ｂ２とを備えてなるものである。
【００２８】
より具体的には、中間転動輪３３ｂ２は、前記中間支軸３３ｂ１を回転中心として回転するものである。そして、図４に示すように、中間転動輪３３ｂ２の直径寸法（Ｓ１）を、前記中間係合部３３ａの幅寸法（ｓ１）と略同一の寸法を有するように構成している。また、中間転動輪３３ｂ２の厚み寸法（Ｔ１）を、前記中間係合部３３ａの奥行き寸法（ｔ１）と略同一の寸法を有するように構成している。
【００２９】
端被係合部３４ｂは、図２、図３、図４に示すように、端支軸３４ｂ１と、この端支軸３４ｂ１の先端部に設けた端転動輪３４ｂ２とを備えてなるものである。
【００３０】
より具体的には、端転動輪３４ｂ２は、前記端支軸３４ｂ１を回転中心として回転するものである。そして、図４に示すように、端転動輪３４ｂ２の直径寸法（Ｓ２）を、前記端係合部３４ａの幅寸法（ｓ２）と略同一の寸法を有するように構成している。また、端転動輪３４ｂ２の厚み寸法（Ｔ２）を、前記端係合部３４ａの奥行き寸法（ｔ２）と略同一の寸法を有するように構成している。
【００３１】
ロック手段３５は、前記リンク部材３０の動作を禁止するものであって、本実施形態では、このロック手段３５を、一般的なシリンダ錠で構成している。より具体的にこのロック手段３５は、施錠動作に連動して進退動作するピン（図示せず）を備えてなる。そして、ピンをリンク支片３２に当接させることによりリンク支片３２の動作を禁止する（施錠状態）一方、リンク支片３２に当接させることを解除することによりリンク支片３２の動作が可能となる（施錠解除状態）ように構成している。なお、ロック手段３５は、シリンダ錠に限られず、実施態様に応じて適宜変更することができる。
【００３２】
以上のように構成される引戸式収納家具Ｐの使用方法を、（１）引戸２を開ける場合、（２）引戸２を閉める場合とに分けて説明する。
（１）引戸２を開ける場合
まず、図２に示すように、引戸２が閉止位置（Ｂ）にあるとき、例えば、第３引戸２３の引手部２３ａに手をかけて左方向に力を加える。すると、この力を受けた第３引戸２３は、案内部Ｌ１、Ｌ２に案内されながら左方向へと移動を始める。左方向に移動を始めた第３引戸２３において、その第３引戸２３に設けた端係合部３４ａに係合させた端転動輪３４ｂ２は、左右の動きをその端係合部３４ａに規制されながら上方向に移動を行う。しかして、リンク部材３０が、リンク本体３１の他端部３１ｙを中心として斜めに傾き始める。これに伴い、中間転動輪３３ｂ２も上方向及び左方向に移動を始め、第２引戸２２に設けた中間係合部３３ａが、その中間転動輪３３ｂ２から左方向の力を受け、これにより第２引戸２２が案内部Ｌ１、Ｌ２を左方向へと移動を始めることとなる。
【００３３】
そして、第３引戸２３をさらに左方向へ移動させると、同様にして第２引戸２２も左方向へ移動し、第３引戸２３及び第２引戸２２がそれぞれ第１引戸２１と重合する位置に移動して、開成位置（Ａ）に位置付けられることとなる（図３参照）。
【００３４】
なお、上述のように、第３引戸２３を左方向へ移動させるに限らず、第１引戸２１を右方向に移動させることも可能である。
【００３５】
具体的には、第１引戸２１を右方向に移動させると、回動可能に支持しているリンク本体３１の他端部３１ｙが右方向に移動を始める。このとき、第３引戸２３は、右側壁１２によって右方向には移動不能な状態にあり、端転動輪３４ｂ２は、左右の動きを端係合部３４ａに規制されながら上方向に移動を行う。しかして、リンク部材３０が、リンク本体３１の他端部３１ｙを中心として斜めに傾き始める。これに伴い、中間転動輪３３ｂ２も上方向及び右方向に移動を始め、第２引戸２２に設けた中間係合部３３ａが、その中間転動輪３３ｂ２から右方向の力を受け、これにより第２引戸２２が案内部Ｌ１、Ｌ２を右方向へと移動を始めることとなる。
【００３６】
そして、第３引戸２３をさらに右方向へ移動させると、同様にして第２引戸２２も右方向へ移動し、第３引戸２３及び第２引戸２２がそれぞれ第１引戸２１と重合する位置に移動して、開口部１Ｘの右側に開成する状態で位置付けられることとなる（図示せず）。
【００３７】
このように、１つの引戸２を操作するだけで、全ての引戸２を開口部１Ｘの左右どちらかに位置付けて、開成状態にすることが簡単にできる。
（２）引戸２を閉める場合
まず、図３に示すように、引戸２が開成位置（Ａ）にあるとき、例えば、第３引戸２３の引手部２３ａに手をかけて右方向に力を加える。
【００３８】
すると、この力を受けた第３引戸２３は、案内部Ｌ１、Ｌ２に案内されながら右方向へと移動を始める。右方向に移動を始めた第３引戸２３において、その第３引戸２３に設けた端係合部３４ａに係合させた端転動輪３４ｂ２は、左右の動きをその端係合部３４ａに規制されながら下方向に移動を行う。しかして、リンク部材３０が、リンク本体３１の他端部３１ｙを中心として傾きが少なくなるように動作を始める。また、これと同時に、中間転動輪３３ｂ２も下方向及び右方向に移動を始め、第２引戸２２に設けた中間係合部３３ａが、その中間転動輪３３ｂ２から右方向の力を受け、これにより第２引戸２２が案内部Ｌ１、Ｌ２を右方向へと移動を始めることとなる。
【００３９】
そして、第３引戸２３をさらに右方向へ移動させると、同様にして第２引戸２２も右方向へ移動し、第３引戸２３及び第２引戸２２が閉止位置（Ｂ）に位置付けられることとなる（図２参照）。
【００４０】
また、上述のように、第３引戸２３を右方向へ移動させるに限らず、第１引戸２１を左方向に移動させることも可能であることは言うまでもない。
【００４１】
このように、１つの引戸２を操作するだけで、全ての引戸２を閉止位置（Ｂ）に簡単に位置付けて、閉止状態に簡単にすることができる。
【００４２】
以上のように、本実施形態の引戸２のリンク機構３によれば、閉止位置（Ｂ）において、略水平をなすリンク本体３１と、前記リンク本体３１の一端部３１ｘに略起立するリンク支片３２とを備えたリンク部材３０を具備し、前記リンク本体３１の他端部３１ｙを第１引戸２１に回動可能に支持させるとともに、前記リンク支片３２を第３引戸２３の背面の側縁部に沿ってスライド可能に係合させ、その中間部に設けた段部形成要素３１３を第２引戸２２の背面の側縁部に沿ってスライド可能に係合させることにより、前記リンク部材３０によって引戸２が連動動作し得るように構成しているので、閉止位置（Ｂ）において、リンク部材３０が、第２引戸２２及び第３引戸２３を斜めに横断することがないので、本実施形態のように、例えば、引戸２の面板部分をガラスなどの透光性を有する素材で構成していても、そのリンク部材３０が、ガラスを介して見えてしまうといった外観上の問題が生じる恐れがない。また、リンク部材３０を引戸２を斜めに横断するように設けた場合に比べ、引戸２の背面側を有効に利用できる。すなわち、外観上の問題をクリアしながら、引戸２等の設計自由度を向上させ得る高機能な引戸２のリンク機構３を提供することができる。
【００４３】
また、前記リンク本体３１が、閉止位置（Ｂ）において略平行をなす第１リンク要素３１１及び第２リンク要素３１２を具備するものであって、隣接するそれらリンク要素３１１、３１２が段をなすための段部形成要素３１３を、それら隣接するリンク要素３１１、３１２間に備えているので、リンク部材３０の先端部に加わる応力により、リンク本体３１が大きく変形することを好適に防止して、該リンク部材３０を安定動作させることができる。このとき、前記リンク本体３１が、各リンク要素３１１、３１２と段部形成要素３１３とによって階段形状に構成しているので、その効果も顕著となっている。
【００４４】
また、前記第２引戸２２と前記リンク本体３１とをスライド可能に係合する中間係合部３３ａと中間被係合部３３ｂとを備えているので、第２引戸２２の円滑な開閉動作を実現することができる。さらに、前記第３引戸２３と前記リンク本体３１とをスライド可能に係合する端係合部３４ａと端被係合部３４ｂとを備えているので、第３引戸２３の円滑な開閉動作を実現することができる。
【００４５】
さらに、前記リンク部材３０の動作を禁止するロック手段３５を備えており、引戸２が不意に開閉することを有効に防止することができる。また、このロック手段３５を、閉止位置（Ｂ）においてリンク支片３２が位置付けられる位置またはその近傍に設けているので、引戸２が不意に開閉することをより効果的に防止することができる。
【００４６】
そして、上述のような引戸２のリンク機構３を、本実施形態の引戸式収納家具Ｐに適用したことにより、該引戸式収納家具Ｐを外観上優れたものとしながら、好適に使用することができる。
【００４７】
なお、本発明は、以上に詳述した実施形態に限られるものではない。
【００４８】
例えば、引戸２のリンク機構３を３枚の引戸２を連動動作するものとしているが、４枚以上のものにも適応することができる。
【００４９】
また、閉止位置（Ｂ）において、リンク本体３１を引戸２の下端縁に沿って配置されるように構成しているが、例えば、引戸２の上端縁に沿って配置されるように構成するなど、リンク本体３１の配置位置は本実施形態に限られるものではない。
【００５０】
リンク本体３１を、段を有さないように構成するとともに、例えば、一端側（リンク本体３１の中間部など）に、さらなるリンク支片３２を設けてもよい。
【００５１】
また、中間被係合部３３ｂおよび端被係合部３４ｂをリンク部材３０に設け、中間係合部３３ａおよび端係合部３４ａを引戸２に設けているが、中間被係合部３３ｂおよび端被係合部３４ｂを引戸２に設け、中間係合部３３ａおよび端係合部３４ａをリンク部材３０に設けてもよい。
【００５２】
なお、各部の具体的な構成は、上述した実施形態のみに限定されるものではなく、本発明の趣旨を逸脱しない範囲で種々変形が可能である。
【図面の簡単な説明】
【００５３】
【図１】本発明の実施形態における引戸式収納家具の全体斜視図。
【図２】同実施形態における閉止位置にある引戸を模式的に示す正面図及び平面図。
【図３】同実施形態における開成位置にある引戸を模式的に示す正面図及び平面図。
【図４】同実施形態におけるリンク機構の係合部分を模式的に示す及び平面図。
【符号の説明】
【００５４】
１Ｘ・・・開口部
２・・・引戸
３・・・引戸のリンク機構
３０・・・リンク部材
３１・・・リンク本体
３１ｙ・・・リンク本体３１の他端部
３２・・・リンク支片
３３ａ・・・中間係合部
３３ｂ・・・中間被係合部
３４ａ・・・端係合部
３４ｂ・・・端被係合部
３５・・・ロック手段
２１１、２２１、２３１・・・透光性部材
２１２、２２２、２３２・・・引戸本体部
３１１・・・リンク要素（第１リンク要素）
３１２・・・リンク要素（第２リンク要素）
３１３・・・段部形成要素
（Ａ）・・・開成位置
（Ｂ）・・・閉止位置
Ｐ・・・引戸式収納家具
【図１】
2005126959.tif 000003
【図２】
2005126959.tif 000004
【図３】
2005126959.tif 000005
【図４】
2005126959.tif 000006